(57)【要約】【課題】収容物の厚みの変化に容易に対応することができるブックカバーおよびケースを提供する。【解決手段】矩形状に形成され、冊子を保護するシート材を備え、前記シート材は、幅方向の両端部に設けられて、前記冊子の表紙の少なくとも一部が差し込まれる一対の差し込み部と、前記一対の差し込み部で挟まれた領域に設けられた可撓部と、を有し、前記可撓部には、前記一対の差し込み部が離反する方向への動きを許容するスリットが複数設けられていることを特徴とする。【選択図】図６
2018158471.tif 000002
【特許請求の範囲】
【請求項１】
矩形状に形成され、冊子を保護するシート材を備え、
前記シート材は、
幅方向の両端部に設けられて、前記冊子の表紙の少なくとも一部が差し込まれる一対の差し込み部と、
前記一対の差し込み部で挟まれた領域に設けられた可撓部と、
を有し、
前記可撓部には、前記一対の差し込み部が離反する方向への動きを許容するスリットが複数設けられている
ことを特徴とするブックカバー。
【請求項２】
前記差し込み部が離反する方向を第１の方向とし、前記シート材に沿い前記第１の方向と直交する方向を第２の方向としたとき、
前記可撓部には、
前記シート材の高さ方向の両端辺のいずれかに切れ目が入った複数の前記スリットを少なくとも含み、前記スリットがつなぎ目を介して前記第２の方向に連続する第１切り込み部と、
前記第１の方向に沿って配列された一対の前記第１切り込み部の間に位置する前記スリットを含み、前記スリットが前記つなぎ目で挟まれている第２切り込み部と、
が設けられていることを特徴とする請求項１に記載のブックカバー。
【請求項３】
前記差し込み部が離反する方向を第１の方向とし、前記シート材に沿い前記第１の方向と直交する方向を第２の方向としたとき、
前記可撓部には、
前記シート材の高さ方向の両端辺から所定の間隔を開けて複数の前記スリットがつなぎ目を介して前記第２の方向に連続する第１切り込み部と、
前記第１の方向に沿って配列された一対の前記第１切り込み部の間に位置する前記スリットを含み、前記シート材の高さ方向の両端辺から所定の間隔を開けて前記スリットが前記つなぎ目で挟まれている第２切り込み部と、
が設けられていることを特徴とする請求項１に記載のブックカバー。
【請求項４】
前記差し込み部および前記可撓部は、一枚の面材で形成されていることを特徴とする請求項１から請求項３のいずれか一項に記載のブックカバー。
【請求項５】
矩形状に形成され、収容物を保護するシート材を備え、
前記シート材は、
幅方向の少なくとも一方の端部に設けられ、前記収容物の少なくとも一部が差し込まれる差し込み部と、
前記差し込み部と、前記差し込み部に相対向した前記シート材の他方の端部とで挟まれた領域に設けられた可撓部と、
を有し、
前記シート材には、前記差し込み部を覆う状態で、前記一方の端部の辺と、前記他方の端部の辺との相対的な位置を決める位置決め部が設けられ、
前記可撓部には、前記差し込み部と、前記他方の端部とが離反する方向への動きを許容するスリットが複数設けられている
ことを特徴とするケース。
【請求項６】
前記差し込み部と前記他方の端部とが離反する方向を第１の方向とし、前記シート材に沿い前記第１の方向と直交する方向を第２の方向としたとき、
前記可撓部には、
前記シート材の高さ方向の両端辺のいずれかに切れ目が入った複数の前記スリットを少なくとも含み、前記スリットがつなぎ目を介して前記第２の方向に連続する第１切り込み部と、
前記第１の方向に沿って配列された一対の前記第１切り込み部の間に位置する前記スリットを含み、前記スリットが前記つなぎ目で挟まれている第２切り込み部と、
が設けられていることを特徴とする請求項５に記載のケース。
【発明の詳細な説明】
【技術分野】
【０００１】
本発明は、ブックカバーおよび名刺入れなどのカード類を収めるケースに関する。
【背景技術】
【０００２】
書籍には、さまざまな厚みのものがある。そのため、書籍を保護するブックカバーには、例えば、Ａ６判やＢ６判などの書籍の表紙の大きさにそれぞれ対応したものが使われる。
【０００３】
このようなブックカバーには、書籍の表紙をブックカバーに差し込むための差し込み部を設け、ブックカバーの一部を折りたたんで形成される差し込み部に書籍の裏表紙を差し込むことによってページ数が多く厚みのある書籍を収容可能とするものがある（例えば、特許文献１参照）。
【０００４】
また、名刺などのカード類を収容するケースは、カードをまとめて収容するポケットの用量に限度がある。さらに、ケースを折りたたんだ際に、ケースの端部同士を揃えた状態で係止する係止部材が設けられ、このポケットに対向して、カード類を差し込むカードさしが設けられているものがある。
【発明の概要】
【発明が解決しようとする課題】
【０００５】
特許文献１では、ブックカバーの一部である余剰部を書籍の大きさに合わせて折りたたみ、ブックカバーの寸法を変更する。そして、書籍の表紙を差し込み部に差し込むことにより、さまざまな厚みの書籍を収容することができる。
【０００６】
しかし、特許文献１では、ひとたび書籍の厚みに合わせてブックカバーの寸法を変更したあとに、異なる厚みの書籍を収容する場合、再度ブックカバーの余剰部を折りたたんで、異なる厚みの書籍に対応した寸法にする必要がある。したがって、ブックカバーが耐久性の小さい素材で作られている場合には、折り目が目立ってしまう、もしくは、ブックカバーの破損の原因となることがある。
【０００７】
また、係止部材が設けられているケースでは、カードさしに差し込まれるカード類の枚数によっては、ケースの端部を揃えた状態でケースを係止することができなくなってしまう。
【０００８】
本発明は、上記実情を考慮してなされたものであり、収容物の厚みの変化に容易に対応することができるブックカバーおよびケースを提供することを目的とする。
【課題を解決するための手段】
【０００９】
上記の課題を解決するために、本発明は、矩形状に形成され、冊子を保護するシート材を備え、前記シート材は、幅方向の両端部に設けられて、前記冊子の表紙の少なくとも一部が差し込まれる一対の差し込み部と、前記一対の差し込み部で挟まれた領域に設けられた可撓部と、を有し、前記可撓部には、前記一対の差し込み部が離反する方向への動きを許容するスリットが複数設けられていることを特徴とする。
【発明の効果】
【００１０】
本発明によれば、収容物の厚みの変化に容易に対応することができるブックカバーおよびケースを提供することができる。なお、上記した以外の課題、構成および効果は、以下の実施形態の説明において明らかにされる。
【図面の簡単な説明】
【００１１】
【図１】本発明の実施の形態１に係るブックカバーを示す図。
【図２】本発明の実施の形態１に係る切り込み部のスリットの形を例示した図。
【図３】本発明の実施の形態１に係る可撓部が変形する様子を示す図。
【図４】本発明の実施の形態１に係るブックカバーを書籍に装着する際の説明図。
【図５】本発明の実施の形態１に係るブックカバーを書籍に装着する際の説明図。
【図６】本発明の実施の形態１に係るブックカバーに書籍を収めた図。
【図７】本発明の実施の形態１に係るシート材における切り込み部の態様を示す図。
【図８】本発明の実施の形態１に係るシート材における可撓部の態様を示す図。
【図９】本発明の実施の形態１に係るシート材における可撓部の態様を示す図。
【図１０】本発明の実施の形態１に係る可撓部の態様を示す図。
【図１１】本発明の実施の形態１に係る可撓部の態様を示す図。
【図１２】本発明の実施の形態２に係るブックカバーを示す図。
【図１３】本発明の実施の形態２に係るブックカバーに書籍を収めた図。
【図１４】本発明の実施の形態３に係るケースの態様を示す図。
【図１５】本発明の実施の形態３に係るケースの態様を示す図。
【図１６】本発明の実施の形態２に係るケースの態様を示す図。
【図１７】本発明の実施の形態２に係るケースの態様を示す図。
【図１８】本発明の実施の形態５に係る可撓部を設けたペンケースを例示した図。
【図１９】本発明に係るシート材の他の態様を示す図。
【発明を実施するための形態】
【００１２】
実施の形態１．
以下、図面を参照して、本発明の実施形態について説明する。本実施形態においては収容物が書籍などの冊子である場合に、書籍の厚みの変化に対応可能なブックカバーについて説明する。
【００１３】
図１は、本実施形態に係るブックカバー１を示す図である。図１に示すように、本実施形態に係るブックカバー１は、書籍など保護対象の収容物を保護するシート材２、収容物が差し込み可能なようにシート材２の端部に設けられる差し込み部３、可撓部４を含む。
【００１４】
シート材２は、革、合皮、ビニール、ポリプロピレン、不織布、紙などシート状の素材を材質として、長方形や正方形、もしくは、四隅を丸くするもしくは切り取るなどの加工を行い、矩形状になるように形成されたものである。また、ウエットスーツに用いられるような収縮性のある素材をシート材２の材質として用いてもよい。
【００１５】
差し込み部３は、収容物を差し込むことができる形態によって、例えば、収容物が書籍である場合には、書籍の表紙の一部の範囲を差し込むことができる程度の大きさでシート材２に設けられている。また、ブックカバー１には、シート材２の幅を示す幅方向の両端部に一対の差し込み部３が設けられている。
【００１６】
可撓部４は、例えば、シート材２を貫通するように、かつ、複数の切り込み部５を入れるなどして、シート材２に設けられた一対の差し込み部３によって挟まれた領域に設けられている。また、図２に示すように、シート材２に対して直線に切った形、曲線に切った形、波状に切った形、所定の形に切り抜いた形などにしてスリット５０を形成し、可撓部４を設けてもよい。さらに、図２に示すように、スリット５０の両端部を円状にすることによって、スリット５０からシート材２の切り裂けを防ぐことができる。
【００１７】
可撓部４は、切り込み部５Ａ、切り込み部５Ｂを含む。切り込み部５Ａには、シート材２の幅方向に対して、シート材２の高さを示す高さ方向の両端辺に切れ目が入るようにスリット５０が複数設けられている。また、切り込み部５Ａにおいてスリット５０は、つなぎ目を介して差し込み部３が離反する方向である第１の方向と直交する第２の方向に連続して設けられる。さらに、切り込み部５Ａは、シート材２に設けられた一対の差し込み部３が離反する方向である第１の方向に沿って配列されている。切り込み部５Ｂは、第１の方向に沿って配列された一対の切り込み部５Ａの間に位置し、スリット５０がつなぎ目で挟まれるように設けられている。
【００１８】
切り込み部５Ｂは、第１の方向に沿って配列された一対の切り込み部５Ａの間に位置し、スリット５０がつなぎ目で挟まれるように設けられている。以後、本実施形態においては、切り込み部５Ａおよび切り込み部５Ｂを、それぞれ第１切り込み部、第２切り込み部と称し、総じて「切り込み部５」として記載する。
【００１９】
可撓部４は、図３に示すように、例えば、書籍Ｂにブックカバー１を装着する際に、シート材２に対して所定の方向に力が加えられた場合に、切り込み部５のスリット５０を伸長させることによって、一対の差し込み部３が離反する方向に動かすことができる。したがって、スリット５０は、シート材２に設けられた一対の差し込み部３が離反する方向へと可撓部４が動くことを許容する機能を果たす。可撓部４が動くことにより、ブックカバー１の寸法（図３のＡの方向）が大きくなり、書籍Ｂの表紙の少なくとも一部を差し込み部３に容易に差し込むことができる。
【００２０】
なお、本実施形態に係るブックカバー１は、収容物を収容する際に、必ずしも可撓部４が収縮した状態でなくともよい。収容物の厚さによっては、ブックカバー１を用いる際に、可撓部４が伸長した状態、もしくは、可撓部４が収縮した状態で収容物を収容する。また、本実施形態に係るブックカバー１は、シート材２、可撓部４および切り込み部５が含まれる一枚のシート材からなってもよく、さらに、ブックカバー１が書籍Ｂなどを収容する場合、差し込み部３、可撓部４が含まれる一枚の面材をシート材２としてもよい。
【００２１】
次に、本実施形態に係るブックカバー１の取り付け態様について図４および図５を参照して説明する。図４および図５は、本実施形態に係るブックカバー１を、収容物である書籍ＢＡ、書籍ＢＢに取り付ける際の態様を示す図である。
【００２２】
図４には、一般的な文芸書程度の厚みの書籍ＢＡにブックカバー１を取り付ける様子を示す図である。図４に示すように、書籍ＢＡにブックカバー１を取り付ける際には、まず、差し込み部３Ａに書籍ＢＡの表表紙を差し込む。次に、書籍ＢＡの裏表紙を差し込み部３Ｂまで到達させる。そして、図４に破線で示すように、一般的な文芸書程度の厚みの書籍ＢＡであれば、書籍ＢＡのもう一方の表紙を差し込み部３Ｂに差し込むことにより、ブックカバー１によって書籍ＢＡを保護することができる。
【００２３】
図５は、辞書など一般的な文芸書と比較して厚みの大きい書籍ＢＢにブックカバー１を取り付ける様子を示す図である。図５に示すように、書籍ＢＢにブックカバー１を取り付ける際には、書籍ＢＡの場合と同様に差し込み部３Ａに書籍ＢＢの表表紙を差し込む。次に、書籍ＢＢの裏表紙が差し込み部３Ｂに到達するまでシート材２を引っ張る。
【００２４】
シート材２を引っ張ることにより、可撓部４の切り込み部５が伸長してブックカバー１の寸法を大きくすることができる。そして、図５に破線で示すように、書籍ＢＢのもう一方の表紙を差し込み部３Ｂに到達させて差し込む。このようにすると、図６に示すようにブックカバー１によって書籍ＢＢを保護することができる。以上説明したように、本実施形態に係るブックカバー１は、ブックカバー１の両側の端部を重複させる際に、切り込み部５が伸長して、可撓部４が収容物の厚みの変化に対応することができるように設けられている。
【００２５】
なお、図７の（ａ）および図７の（ｂ）に示すように、シート材２の幅方向に対してスリット５０を斜めに入れることによって切り込み部５を設けてもよい。さらに、図８に示すように、ブックカバー１で書籍ＢＣを収容した場合に、シート材２に対して書籍ＢＣの背表紙が到達しない位置、すなわち、差し込み部３が離反する方向におけるシート材２幅方向の中央部の、例えば、書籍ＢＣの厚みに相当する範囲に、スリット５０が設けられていない保護部２０を設けてもよい。
【００２６】
また、図９に示すように、ブックカバー１で書籍ＢＤを収容した場合に、差し込み部３の近傍になるような位置に可撓部４を設けてもよい。なお、図９において、差し込み部３は、外観から見えない位置にあるため、破線で囲ったハッチングによって示している。なお、図８、図９に示すブックカバー１には、可撓部４が２か所以上含まれてもよい。
【００２７】
また、シート材２の幅方向におけるスリット５０の間隔の幅やスリット５０の大きさは、シート材２の材質に応じて適宜変化させてもよい。例えば、図１０に示すように、シート材２の材質が不織布などの強度の小さいものである場合、スリット５０の間隔の幅やスリット５０の大きさを小さくしてスリット５０を設けることにより、不織布が破れて破損することを防ぐことができる。
【００２８】
なお、スリット５０の大きさをスリット５０同士のつなぎ目よりも大きくすることにより、可撓部４を変形させた際にブックカバー１が破損する可能性を低減することができる。
【００２９】
また、図１１に示すように、シート材２の材質が革などの強度の大きいものである場合、スリット５０の間隔の幅やスリット５０の大きさを大きくしてスリット５０を設けることにより、革に切り込みを入れる加工を容易に行うことができ、さらに、加工に必要な時間を短くすることができる。
【００３０】
実施の形態２．
図１２および図１３は、本実施形態に係るブックカバー１を示す図である。なお、図１２および図１３に示すように、本実施形態に係るブックカバー１は、書籍ＢＥなど保護対象の収容物を保護するシート材２、収容物が差し込み可能なようにシート材２の端部に設けられる差し込み部３、可撓部４を含む。なお、実施の形態１と同様の構成については、図面中に同じ符号を付し、重複する説明を省略する。
【００３１】
シート材２は、シート状の素材を材質として、長方形や正方形、もしくは、四隅を丸くするもしくは切り取るなどの加工を行い、矩形状になるように形成されたものである。伸縮性のある素材をシート材２として用いてもよい。差し込み部３は、図１２に示すように、収容物を差し込むことができる形態によって、例えば、収容物が書籍である場合には、書籍の表紙の一部の範囲を差し込むことができる程度の大きさのものが、シート材２の幅方向の両端部に一対設けられている。
【００３２】
可撓部４は、例えば、シート材２を貫通するように、かつ、スリット５０によって形成される複数の切り込み部５を入れるなどして、シート材２に設けられた一対の差し込み部３によって挟まれた領域に設けられている。また、図２に示すような形などにしてスリット５０を形成し、可撓部４を設けてもよい。
【００３３】
可撓部４は、図１２に示すように、切り込み部５Ｃ、切り込み部５Ｄを含む。切り込み部５Ｃには、シート材２の幅方向に対して、シート材２の高さを示す高さ方向にスリット５０が複数設けられている。また、切り込み部５Ｃにおいては、差し込み部３が離反する方向である第１の方向と直交する第２の方向に、シート材２の高さ方向の端部から所定の間隔を開けてスリット５０がつなぎ目を介し、連続して設けられる。さらに、切り込み部５Ｃは、シート材２に設けられた一対の差し込み部３が離反する方向である第１の方向に沿って配列されている。
【００３４】
切り込み部５Ｄは、第１の方向に沿って配列された一対の切り込み部５Ｃの間に位置し、スリット５０がつなぎ目で挟まれるように設けられている。また、切り込み部５Ｄにおいては、差し込み部３が離反する方向である第１の方向と直交する第２の方向に、シート材２の高さ方向の端部から所定の間隔を開けてスリット５０がつなぎ目を介し、連続して設けられる。
【００３５】
したがって、本実施形態においては、シート材２の高さ方向の両端辺に切れ目が形成されないようにスリット５０が設けられる。以後、本実施形態においては、切り込み部５Ｃおよび切り込み部５Ｄを、それぞれ第１切り込み部、第２切り込み部と称し、総じて「切り込み部５」として記載する。
【００３６】
可撓部４は、実施の形態１と同様に、書籍Ｂにブックカバー１を装着する際に、シート材２に対して所定の方向に力が加えられた場合に、切り込み部５のスリット５０を伸長させることによって、一対の差し込み部３が離反する方向に動かすことができる。このとき、前述したように、シート材２の高さ方向の端部に切れ目ができないようにして、切り込み部５が設けられているため、差し込み部３に書籍Ｂの表紙を差し込んだ場合に、シート材２の高さ方向の端部が伸長しない。
【００３７】
そのため、図１３に示すように、差し込み部３が重複するように書籍ＢＥを閉じた際に、シート材２が書籍ＢＥの端部ＥＧに沿うように収縮するため、書籍ＢＥの背表紙の高さ方向の端部ＥＧが露呈することなくシート材２のよって被覆される。したがって、本実施形態に係るブックカバー１は、書籍ＢＥを開いた状態で使用しない、例えば、書籍ＢＥの持ち運びや保管などをする場合に、破損や汚れの付着などをより少なくして書籍ＢＥを保護することができる。また、本実施形態に係るブックカバー１は、シート材２、可撓部４および切り込み部５が含まれる一枚のシート材からなってもよく、さらに、ブックカバー１が書籍ＢＥなどを収容する場合、差し込み部３、可撓部４が含まれる一枚の面材をシート材２としてもよい。
【００３８】
なお、本実施形態に係るブックカバー１の取り付け態様は、実施の形態１の図４および図５と同様であるため、重複する説明を省略する。そして、図１３に示すように、ブックカバー１を取り付けて、シート材２によって書籍Ｂの端部ＥＧが覆われるようにして書籍ＢＥを保護することができる。
【００３９】
実施の形態３．
本実施形態においては、収容物として名刺などのカードを収容するためのケース１０について説明する。なお、実施の形態１および２と同様の構成については、図面中に同じ符号を付し、重複する説明を省略する。
【００４０】
図１４、図１５は、本実施形態に係るケース１０を示す図である。図１４および図１５において差し込み部３は、収容物を差し込むことができる形態によって、例えば、収容物が名刺などのカード類である場合には、カードのほぼ全体を差し込むことができる程度の大きさで設けられる。また、差し込み部３と相対向したシート材２の他方の端部に、他のものを収容できる被覆部７などをケース１０に設けてもよい。
【００４１】
図１４に示すように、差し込み部３を折りたたみ構造などのマチのある形状にすることで、差し込み部３に名刺などのカード類を収容物として収容することができる。また、図１５に示すように、差し込み部３に可撓部４を設け、収容されるカード類の量に応じて差し込み部３の厚みが変化する構成としてもよい。
【００４２】
さらに、図１４および図１５に示すケース１０では、ケース１０を折りたたんだ際に差し込み部３を被覆する領域に、他のものを収容できる被覆部７などを設けてもよい。被覆部７の収容物が増えた場合であっても、ケース１０を折りたたんだ際に、シート材２の寸法を変化させて収容物を保護することができる。また、図１４、図１５に破線で示すように、差し込み部３を被覆部７で覆うようにケース１０を折りたたむ際に、差し込み部３が設けられているシート材２の端辺と被覆部７が設けられているシート材２の端辺が重なるように位置を決定する係止部８および係止部８に対応する受け部である被係止部９を設けてもよい。
【００４３】
このような場合、可撓部４によって収容物の厚みの変化を吸収することができるため、収容物が増えても係止部８および被係止部９によってケース１０を折りたたんだ状態で持ち運ぶことができる。したがって、係止部８および被係止部９は、協働して、差し込み部３の端辺と、差し込み部３が設けられていないのシート材２の端辺との相対的な位置を決定する位置決め部として機能する。
【００４４】
実施の形態４．
本実施形態においては、スマートフォンなどのモバイルデバイスを固定するフレームを含み、収容物として名刺などのカードを収容するためのケース１０について説明する。なお、実施の形態１から３と同様の構成については、図面中に同じ符号を付し、重複する説明を省略する。
【００４５】
図１６は、本実施形態に係るケース１０を示す図である。本実施形態に係るケース１０の被覆部７は、固定する対象物としてモバイルデバイスを固定するためにプラスチックなどの硬質の素材を材質としたフレームを含む。このとき、フレームは、モバイルデバイスの隅部分を係止し、かつ、モバイルデバイスの操作部を操作可能な形に形成される。図１６に示すケース１０では、例えば、差し込み部３の収容物が増えた場合であっても、シート材２の寸法を変化させてモバイルデバイスを収容することができる。
【００４６】
また、図１７に示すように、シート材２の両端部に切れ目が入らないように切り込み部５を設けてもよい。このようにすることで、フレームに固定されるモバイルデバイスが損傷することを低減させることができる。
【００４７】
実施の形態５．
本実施形態においては、収容物としてペンなどの文房具を収容するためのペンケース１１について説明する。なお、実施の形態１から４と同様の構成については、図面中に同じ符号を付し、重複する説明を省略する。
【００４８】
図１８に示すように、本実施形態に係るペンケース１１は、切り込み部５を設けることにより、切り込み部５を伸長させてペンケース１１の内容物を増やすことができる。ペンケース１１は、内容物が少ない場合に、ペンケース１１の体積を小さくし、内容物が多い場合に、ペンケース１１の体積を大きくして、ペンケース１１を内容物の量に応じたサイズにすることができる。
【００４９】
実施の形態６．
本実施形態においては、実施の形態１から実施の形態５で説明したブックカバー１、ケース１０、ペンケース１１に共通して適用可能なシート材２の構造について説明する。図１９に示すように、シート材２が収容物である書籍Ｂに接する面に裏地６として、例えば、伸縮性の素材のシート材を設けてもよい。このようにすることで、可撓部４が伸長した際にシート材２に生じる隙間から書籍Ｂに埃などが付着するのを低減することができる。
【００５０】
さらに、切り込み部５の形状によっては、可撓部４が伸長することによって独特の模様をブックカバー１、ケース１０、ペンケース１１に表現することができる。なお、図１９においては、差し込み部３が設けられている面、すなわち、裏地６がシート材２に張り付けられる面からは可撓部４が見えないため、可撓部４を破線で、裏地６をハッチングによってそれぞれ示している。
【符号の説明】
【００５１】
１  カバー
２  シート材
３  差し込み部
４  可撓部
５  切り込み部
６  裏地
７  被覆部
８  係止部
９  被係止部
１０  ケース
２０  保護部
１１  ペンケース
５０  スリット
ＢＡ、ＢＢ、ＢＣ、ＢＤ、ＢＥ  書籍
ＥＧ  端部
【先行技術文献】
【特許文献】
【００５２】
【特許文献１】特開２０１１−１３６５３３号公報
【図１】
2018158471.tif 000003
【図２】
2018158471.tif 000004
【図３】
2018158471.tif 000005
【図４】
2018158471.tif 000006
【図５】
2018158471.tif 000007
【図６】
2018158471.tif 000008
【図７】
2018158471.tif 000009
【図８】
2018158471.tif 000010
【図９】
2018158471.tif 000011
【図１０】
2018158471.tif 000012
【図１１】
2018158471.tif 000013
【図１２】
2018158471.tif 000014
【図１３】
2018158471.tif 000015
【図１４】
2018158471.tif 000016
【図１５】
2018158471.tif 000017
【図１６】
2018158471.tif 000018
【図１７】
2018158471.tif 000019
【図１８】
2018158471.tif 000020
【図１９】
2018158471.tif 000021